(57)【特許請求の範囲】
【請求項１】
縦方向及び横方向を有し、肌対向面及び非肌対向面と、前後ウエスト域の一方である第１ウエスト域と、それらの他方である第２ウエスト域と、前記第１及び第２ウエスト域間に位置するクロッチ域と、少なくとも前記クロッチ域に位置する吸液性コアとを含む使い捨て着用物品において、
前記第１ウエスト域は、前記肌対向面側に位置する内層シートと、前記非肌対向面側に位置する外層シートと、前記内外層シート間に介在された、前記横方向へ延びるウエスト弾性体と、前記ウエスト弾性体と前記外層シートとの間に配置された中間シートと、前記外層シートの外面に取り付けられたテープファスナとを有し、
前記内層シートと前記中間シートとは、前記ウエスト弾性体に塗布された第１接着剤を介して接合されており、
前記第１ウエスト域の前記テープファスナの固定部の位置する積層領域において、前記内層シートと前記中間シートとは、前記ウエスト弾性体と並行して前記横方向へ延びる第２接着剤を介して接合されており、
前記第２接着剤は、前記ウエスト弾性体の前記縦方向の内外側のうち少なくとも一方側に位置し、
前記積層領域において、複数条の前記ウエスト弾性体が配置されており、前記第２接着剤は、隣り合う前記ウエスト弾性体間に位置する離間部分に塗布されており、前記ウエスト弾性体と接していないことを特徴とする使い捨て着用物品。
【請求項２】
前記中間シートは、プラスチックシートから形成された、外部から視認可能な装飾要素を有する請求項１に記載の使い捨て着用物品。
【請求項３】
前記積層領域における前記ウエスト弾性体のうちの最も前記クロッチ域側に位置する弾性体の前記縦方向の内側又は外側のうち少なくとも一方側にのみ前記第２接着剤が塗布されている請求項１又は２に記載の使い捨て着用物品。
【請求項４】
前記テープファスナを構成する基材シートの伸度が、前記内外層シート及び前記中間シートの伸度よりも高い請求項１〜３のいずれかに記載の使い捨て着用物品。
【請求項５】
前記積層領域における前記ウエスト弾性体間の前記縦方向における離間寸法が、前記第１ウエスト域における前記積層領域以外の部分に配置された前記ウエスト弾性体間の前記縦方向における離間寸法よりも大きい請求項１〜４のいずれかに記載の使い捨て着用物品。
【請求項６】
前記第２接着剤は、前記ウエスト弾性体の前記縦方向の内側及び外側に位置する請求項１，２，４，５のいずれかに記載の使い捨て着用物品。
【発明の詳細な説明】
【技術分野】
【０００１】
本発明は、テープファスナを備えた使い捨ておむつ、トレーニングパンツ、おむつカバー等の使い捨て着用物品に関する。
【背景技術】
【０００２】
従来、廃棄用等のテープファスナを備えた使い捨て着用物品は公知である。例えば、特許文献１には、後ウエスト域において、肌対向面側に位置する内層シート、非肌対向面側に位置する外層シートと、内外層シート間に介在されたウエスト弾性体とを備え、後ウエスト域の外面には、テープファスナが取り付けられた使い捨て着用物品が開示されている。
【先行技術文献】
【特許文献】
【０００３】
【特許文献１】特開２０１２−１７９３１３号公報（Ｐ２０１２−１７９３１３Ａ）
【発明の概要】
【発明が解決しようとする課題】
【０００４】
特許文献１に開示された使い捨て着用物品においては、後ウエスト域においてテープファスナが固定されており、テープファスナの存在領域において、内層シートと外層シートとを互いに接合するためのホットメルト接着剤とは別に、補強用のホットメルト接着剤が塗布されている。このように、テープファスナの存在領域において、内外層シートを固定するためのホットメルト接着剤をさらに追加することによって、テープファスナを使用するときに、外層シートと内層シートが剥離してテープファスナが浮き上がるのを防止することできる。
【０００５】
しかしながら、このように、内外層シートを固定するためのホットメルト接着剤とともに、補強目的でホットメルト接着剤を追加する場合には、該固定部においてホットメルト接着剤の塗布量が比較的に多くなって、該固定部が硬化して着用者の肌に触れたときに違和感を与えるおそれがある。また、内外層シート間に外部から視認可能な装飾要素が印刷されたプラスチック製の中間シートを介在させ、該中間シートと平面視において重なる位置にテープファスナを取り付けた場合には、該固定部がより硬くなり、着用者の肌に刺激を与えるおそれがある。
【０００６】
そこで、本発明では、テープファスナの存在領域におけるウエスト域のシート強度を向上するとともに、該領域における柔軟性を維持することのできる使い捨て着用物品の提供を課題にしている。
【課題を解決するための手段】
【０００７】
前記課題を解決するために、本発明が対象とするのは、縦方向及び横方向を有し、肌対向面及び非肌対向面と、前後ウエスト域の一方である第１ウエスト域と、それらの他方である第２ウエスト域と、前記第１及び第２ウエスト域間に位置するクロッチ域と、少なくとも前記クロッチ域に位置する吸液性コアとを含む使い捨て着用物品である。
【０００８】
本願に係る使い捨て着用物品において、前記第１ウエスト域は、前記肌対向面側に位置する内層シートと、前記非肌対向面側に位置する外層シートと、前記内外層シート間に介在された、前記横方向へ延びるウエスト弾性体と、前記ウエスト弾性体と前記外層シートとの間に配置された中間シートと、前記外層シートの外面に取り付けられたテープファスナとを有し、前記内層シートと前記中間シートとは、前記ウエスト弾性体に塗布された第１接着剤を介して接合されており、前記第１ウエスト域の前記テープファスナの固定部の位置する積層領域において、前記内層シートと前記中間シートとは、前記ウエスト弾性体と並行して前記横方向へ延びる第２接着剤を介して接合されており、前記第２接着剤は、前記ウエスト弾性体の前記縦方向の内外側のうち少なくとも一方側に位置し、前記積層領域において、複数条の前記ウエスト弾性体が配置されており、前記第２接着剤は、隣り合う前記ウエスト弾性体間に位置する離間部分に塗布されており、前記ウエスト弾性体と接していないことを特徴とする。
【発明の効果】
【０００９】
本発明の１つ以上の実施の形態に係る使い捨て着用物品によれば、内外層シートがウエスト弾性体に塗布された第１接着剤を介して接合されているので、それらの対向面全体に塗布した接着剤を介して接合する場合に比して、シート全体の柔軟性に優れる。また、テープファスナの固定部の位置する積層領域において、内層シートと中間シートとが第１接着剤のみならず、ウエスト弾性体の離間部分に塗布され第２接合接着剤を介して接合されているので、中間シートとウエスト弾性体とによる接合部分が剥離して中間シートの一部が破断するのを抑制することができる。さらに、第２接着剤はウエスト弾性体に接しないように塗布されているので、第１接着剤と第２接着剤とが重なることによって、シートが硬くなるのを防止することができる。
【図面の簡単な説明】
【００１０】
図面は、本発明の特定の実施の形態を示し、発明の不可欠な構成ばかりでなく、選択的及び好ましい実施の形態を含む。
【図１】本発明に係る使い捨て着用物品の一例として示す使い捨ておむつの着用状態を背面から視た斜視図。
【図２】おむつの一部破断展開平面図。
【図３】おむつの分解斜視図。
【図４】内面シートの一部を破断した状態における、内面から視たときの後ウエスト域の一部破断拡大図。
【図５】図１のＶ−Ｖ線に沿う断面図。
【図６】おむつの変更例における、図５と同様の断面図。
【発明を実施するための形態】
【００１１】
下記の実施の形態は、図１に示すおむつに関し、発明の不可欠な構成ばかりではなく、選択的及び好ましい構成を含む。
【００１２】
図１〜４を参照すると、本発明における使い捨て着用物品の一例である使い捨ておむつ１０は、縦方向Ｙ及びそれに直交する横方向Ｘを有し、肌対向面及びそれに対向する非肌対向面と、ウエスト回り方向へ延びる環状の弾性ウエストパネル１１と、弾性ウエストパネル１１の肌対向面側に取り付けられた吸収シャーシ１２と、前ウエスト域（第１又は第２ウエスト域）１３と、後ウエスト域（第１又は第２ウエスト域）１４と、前後ウエスト域１３，１４間に位置するクロッチ域１５とを含む。後ウエスト域１４の中央部の外面には、ウエスト開口１９側へ展開可能な廃棄用のテープファスナ５０が取り付けられている。
【００１３】
弾性ウエストパネル１１は、弾性ベルト機能を有し、前ウエスト域１３を形成する前ウエストパネル１６と、後ウエスト域１４を形成する後ウエストパネル１７とを含む。前後ウエストパネル１６，１７は、内端縁１６ａ，１７ａと、外端縁１６ｂ，１７ｂと、外端縁１６ｂ，１７ｂから内方へ延びる外側縁（前後ウエスト域の両側縁）１６ｃ，１７ｃと、外側縁１６ｃ，１７ｃから内方へ斜めに延びる内側縁１６ｄ，１７ｄとによって画定された略台形状を有する。互いに対向する前ウエストパネル１６の両外側縁１６ｃと後ウエストパネル１７の両外側縁１７ｃどうしは、互いに重ね合わされ、縦方向Ｙへ断続的に並ぶサイドシーム１８において公知の手段、例えば、熱エンボス加工、ソニックなどによる各種の熱溶着手段によって連結され、ウエスト開口１９と一対のレッグ開口２１とが画定される。
【００１４】
前後ウエストパネル１６，１７は、それぞれ、肌対向面側に位置する内層シート２２，２２と、非肌対向面側に位置する外層シート２３，２４とを含む。内外層シート２１−２４は、質量約１５〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。また、外層シート２３，２４は、後記の装飾要素が外部から視認される程度の全光線透過率を有する。
【００１５】
具体的には、内外層シート２１−２４を質量約１０〜３０ｇ／ｍ２のＳＭＳ繊維不織布、スパンボンド繊維不織布又はエアスルー繊維不織布から形成した場合において、外層シート２３，２４の全光線透過率が７５％以上、好ましくは、８３％以上である。各シートの全光線透過率がかかる範囲内であれば、後記中間シート４０の装飾要素を外部から容易に視認することができる。各シートの全光線透過率は、公知の測定方法によるものであって、例えば、日本電色工業株式会社製の交照測光式色差計Ｚ−３００Ａを用いて測定することができる。
【００１６】
前後ウエストパネル１６，１７の内外層シート２１−２４間には、ストリング状又はストランド状の複数条の前後ウエスト弾性体２７，２８が横方向Ｘへ伸縮可能にそれぞれ配設されており、前後ウエストパネル１６，１７は少なくとも横方向Ｘへ弾性化されている。前ウエスト弾性体２７は、ウエスト開口１９に沿って横方向Ｘへ延びる前上方ウエスト弾性体２７Ａと、前上方ウエスト弾性体２７Ａと内端縁１６ａとの間において横方向Ｘへ延びる前下方ウエスト弾性体２７Ｂとを有する。後ウエスト弾性体２８は、ウエスト開口１９に沿って横方向Ｘへ延びる後上方ウエスト弾性体２８Ａと、後上方ウエスト弾性体２８Ａと内端縁１７ａとの間において横方向Ｘへ延びる後下方ウエスト弾性体２８Ｂとを有する。
【００１７】
前後下方ウエスト弾性体２７Ｂ，２８Ｂは、それぞれ、前後ウエスト域１３，１４の中央部においてその一部が切断又は除去されており、前後非伸縮域３６，３７が画定される。このように、前後非伸縮域３６，３７が前後ウエスト域１３，１４の中央部に位置することから、前後ウエストパネル１６，１７の内面に位置する吸収シャーシ１２の中央部（吸液性コアの中央部）に前後下方ウエスト弾性体２７Ｂ，２８Ｂの収縮力が直接作用されてギャザー等が形成されないので、その収縮力が作用することによる吸収性能の低下を抑制することができる。
【００１８】
前後非伸縮域３６，３７を形成する方法としては、例えば、内外層シート２１，２２，２３，２４の少なくとも一方における前後下方ウエスト弾性体２７Ｂ，２８Ｂの存在する部位の内面にホットメルト接着剤を適宜パターンで塗布し、これら各域にわたって一連の前後下方ウエスト弾性体２７Ｂ，２８Ｂを伸長下で供給して前記接着剤の塗布域（前後非伸縮域３６，３７に該当する部分は、除く）に固定し、その状態において各シートに接合されていない前後非伸縮域３６，３７に位置する前後下方ウエスト弾性体２７Ｂ，２８Ｂを（１箇所のみ）切断すると、前後下方ウエスト弾性体２７Ｂ，２８Ｂは自動的に収縮（スナップバック）する。したがって、前後非伸縮域３６，３７には、収縮力を有する前後下方ウエスト弾性体２７Ｂ，２８Ｂが実質的に存在しない。
【００１９】
前後ウエスト弾性体２７，２８としては、例えば、繊度が約４７０〜１２４０ｄｔｅｘであって，約１．５〜３．５倍に伸長された状態で配設されたストリング状又はストランド状の弾性材料を用いることができる。前後ウエスト弾性体２７，２８の繊度、伸長倍率、各弾性体間の離間寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００２０】
前ウエスト域１３の内外層シート２１，２３と後ウエスト域１４の内外層シート２２，２４とは、それらの内面にホットメルト接着剤は塗布されておらず、サイドシーム１８による接合部分及び中間シート４０が配置されている部分を除き、それぞれ、前後ウエスト弾性体２７，２８の全周に塗布されたホットメルト接着剤から構成された第１接着剤３１を介してのみ互いに接合される。第１接着剤３１は、前後ウエスト弾性体２７，２８の全周又は少なくとも内外層シート２１−２４と対向する部分に塗布されていればよく、また、前後ウエスト域１３，１４のうちの少なくとも後ウエスト域１４がかかる構成を有していればよい。
【００２１】
後ウエストパネル１７の内外層シート２２，２４間であって、後ウエスト弾性体２８と外層シート２４との間には、外層シート２４と対向する面に外部から視認可能な装飾要素４１が印刷された中間シート４０が配置される。中間シート４０は、略矩形状であって、内層シート２２と対向する第１面４０ａと、外層シート２４と対向する第２面４０ｂとを有し、不透液性の繊維不織布、不透液性かつ透湿性のプラスチックフィルム又はそれらのラミネートシートから形成される。本実施形態においては、装飾要素４１の一例として、動物を模したキャラクターの図柄が示されているが、外部から形態が把握できる限りにおいて、各種公知の図形、装飾模様、絵柄、商品の商標、製造者の表記等であってもよい。このように、中間シート４０が後ウエスト弾性体２８と外層シート２４との間に配置されていることから、後ウエストパネル１７の構成要素について、肌対向面側から順に並べると、内層シート２２、後ウエスト弾性体２８、中間シート４０、外層シート２４、テープファスナ５０になる。
【００２２】
中間シート４０の第１面４０ａは、内層シート２２と後ウエスト弾性体２８に塗布された第１接着剤３１を介してのみ接合される。中間シート４０の第２面４０ｂは、第２面４０ｂのほぼ全面又は外層シート２４の内面に塗布されたホットメルト接着剤から構成された接合域６１を介して接合される。
【００２３】
テープファスナ５０は、繊維不織布、プラスチックシートまたはそれらのラミネートシート等であって、所要のシート強度を有する基材シートから形成されており、断面Ｚ字型に折り畳まれている。テープファスナ５０は、ホットメルト接着剤等の公知の接合手段からなるファスナ接合域５１を介して外層シート２４の外面に固定された固定部５２と、固定部５２からテープの長さ方向へ延びる自由部５３と、自由部５３の先端に位置する摘持部５３ａとを有する。自由部５３は、折り曲げられた状態が維持されるべく、エンボス加工又は感圧接着剤からなる仮止め手段５４によって仮止めされており、また、熱エンボス加工による仮止め手段５４によってテープファスナ５０全体の折畳状態が維持されている。テープファスナ５０は、パンツ型のおむつの廃棄用又はサイズ調整用の締結手段として使用するためのものであって、縦方向Ｙ又は横方向Ｘに対して斜めに配置されていてもよいし、複数配置されていてもよい。また、テープファスナ５０は、後ウエスト域１４ではなくて前ウエスト域１３に配置されていてもよいし、固定部５２を有する限りにおいては、断面コ字状に折り畳まれた形態であってもよいし、３層以上の複数層からなる形態であってもよい。
【００２４】
図２及び３を参照すると、吸収シャーシ１２は、前後ウエストパネル１６，１７に取り付けられた前後端部１２Ａ，１２Ｂと、少なくともクロッチ域１５において縦方向Ｙへ延びる吸液性コア４３と、吸液性コア４３の肌対向面側に位置する親水性の繊維不織布から形成されたトップシート４４と、吸液性コア４３の非肌対向面側に位置する疎水性又は難透液性の繊維不織布から形成されたバックシート４５と、吸液性コア４３とバックシート４５との間に配置された、少なくとも吸液性コア４３のバックシート４５と対向する面全体を被覆する大きさを有する不透液性の防漏シート４６とを含む。トップシート４４とバックシート４５には、ＳＭＳ繊維不織布やスパンボンド不織布等の各種公知の繊維不織布を用いることができる。吸収シャーシ１２の前端部１２Ａは、ホットメルト接着剤を塗布してなる前接合域を介して前ウエストパネル１６の内面に固定され、後端部１２Ｂはホットメルト接着剤を塗布してなる後接合域４８（図５参照）を介して後ウエストパネル１７の内面に固定される。
【００２５】
吸液性コア４３は、所要量の超吸収性ポリマー粒子とフラッフパルプとを混合したものであって、おむつ１０を構成するシート部材に比して剛性の高い半剛性を有する。また、吸液性コア４３は、縦方向Ｙにおける中央部が幅狭状を有するパネル形態をなすものであって、その全体がティッシュ等の液拡散性シートで被包されている。トップシート４４とバックシート４５は、吸液性コア４３の周縁部から外側へ延出しており、該延出部どうしが互いに重ね合わされてホットメルト接着剤（図示せず）を介して接合されることによって、吸液性コア４３の両側縁から横方向Ｘの外側に延出するサイドフラップと、吸液性コア４３の両端縁から縦方向Ｙの外側に延出するエンドフラップとが形成される。各サイドフラップには、縦方向Ｙへ延びるレッグ弾性体４９が、伸長状態で収縮可能に取り付けられる。
【００２６】
図４及び５を参照すると、テープファスナ５０の固定部５２の配置された領域、すなわち、後ウエスト域１４における固定部５２と平面視において重なる積層領域６０には、横方向Ｘへ延びる複数条の第２接着剤３２が配置されている。第２接着剤は、後上方ウエスト弾性体２８Ａ間に位置する離間部分においてスパイラル状に塗布されたホットメルト接着剤であって、固定部５２と平面視において重なる部分にのみ位置する。第２接着剤３２には、スパイラル状のほかに、ドット状、ライン状等の各種公知の塗布パターンを採用することができる。
【００２７】
既述のとおり、本実施形態において、後ウエスト域１４の内外層シート２２，２４は、それらの間に介在された後ウエスト弾性体２８に塗布されたホットメルト接着剤からなる第１接着剤３１を介してのみ接合されており、両シート２２，２４がそれらの内面全体に塗布されたホットメルト接着剤を介して接合されている場合に比して、後ウエスト域１４は柔軟性に優れる。また、内層シート２２とそれと対向する中間シート４０とは、内外層シート２２，２４と同様に、それと平面視において重なる後ウエスト弾性体２８に塗布されたホットメルト接着剤を介して接合される。
【００２８】
ここで、例えば、後ウエスト弾性体２８に塗布した第１接着剤３１のみを介して第１接着剤３１と中間シート４０とを接合した場合には、テープファスナ５０を展開するために自由部５３を引っ張ることによって固定部５２とともに積層領域６０全体が持ち上げられたときに、構成部材のうちで最もシート強度の低い中間シート４０が第１接着剤３１を介して接合された接合部分６３において剥離するおそれがある。すなわち、積層領域６０が持ち上げられたときに、ファスナ接合域５１と接合域６１とは、該領域全体において対向するシートどうしが接合されており、また、そのシートの少なくとも一方が所要のシート強度を有するところ、内層シート２２と中間シート４０との固定領域においては、比較的に伸度（引張強度）の低い中間シート４０と、後上方ウエスト弾性体２８Ａとが第１接着剤３１を介して接合された接合部分６３に力が集中して、それらが剥離し、中間シート４０の一部が破れてしまうおそれがある。また、おむつ１０の着用時において、後ウエスト域１４を身体に沿って縦方向Ｙへ伸長させたときに、積層領域６０においてテープファスナ５０が伸長されない又は伸長され難い一方、中間シート４０が伸長されて、それらの間にずれが生じるので、中間シート４０と後上方ウエスト弾性体２８Ａとの接合部分６３において剥離が生じるおそれがある。このように、接合部分６３が剥離したときには、中間シート４０の一部が浮き上がって、装飾要素４１の視認性が低下するおそれがある。
【００２９】
本実施形態においては、積層領域６０において、内層シート２２と中間シート４０とが第１接着剤３１のみならず、後上方ウエスト弾性体２８Ａ間に位置する第２接着剤３２を介してさらに接合されているので、第１接着剤３１のみで接合されている場合に比して接合強度が向上する。したがって、テープファスナ５０を持ち上げたときに、中間シート４０と後上方ウエスト弾性体２８Ａとの接合部分６３に力が集中することはなく、各接合域５１，６１にも力が分散されるので、中間シート４０の一部が破れるのを防止することができる。また、中間シート４０の存在領域全体ではなく、テープファスナ５０の配置された積層領域６０においてのみ局所的に第２接着剤３２を塗布することで、後ウエスト域１４全体の柔軟性は維持される。
【００３０】
第２接着剤３２は、後上方ウエスト弾性体２８Ａどうしの離間部分に塗布されており、後上方ウエスト弾性体２８Ａと接していない。このように、第２接着剤３２が後上方ウエスト弾性体２８Ａと非接触であるので、第１接着剤３１と第２接着剤３２が重なることはなく、比較的に多量の接着剤によってシートが硬化して柔軟性が損なわれることはない。また、本実施形態においては、積層領域６０に位置する各後上方ウエスト弾性体２８Ａの縦方向Ｙの内側及び外側の両側に、第２接着剤３２がそれらに触れないように塗布されているので、テープファスナ５０を展開するときに、摘持部５３ａを摘持して上方へ（ウエスト開口１９側へ）引っ張ったときでも、それを下方へ引っ張ったときでも、中間シート４０の破れを効果的に防止しうる。
なお、任意の後上方ウエスト弾性体２８Ａに関して、上方への引張力に抗するためには該弾性体２８Ａの縦方向の外側に位置する離間部分、下方への引張力に抗するためには該弾性体２８Ａの縦方向Ｙの内側に位置する離間部分に第２接着剤３２が塗布されていればよく、少なくとも該弾性体２８Ａの縦方向Ｙの内外側のうちのいずれか一方に第２接着剤３２が塗布されていればよい。
【００３１】
また、積層領域６０における後上方ウエスト弾性体２８Ａの離間寸法（ピッチ）が、積層領域６０と平面視において重ならない後上方ウエスト弾性体２８Ａ及び後下方ウエスト弾性体２８Ｂの離間寸法よりも大きいことが好ましい。かかる場合には、積層領域６０において第１接着剤３１による接合面積が比較的に小さくなり、シートの柔軟性が維持されるとともに、離間寸法が比較的に大きくなるので、第２接着剤３２の塗布可能面積が大きくなり、シートの柔軟性と接合強度とを考慮した適量の第２接着剤３２を塗布するように調整することができる。
【００３２】
かかる効果を奏するために、第２接着剤３２の質量は、約２．０〜１２．０ｇ／ｍ２であって、好ましくは、約８．０ｇ／ｍ２である。質量が約２．０ｇ／ｍ２未満の場合には、第２接着剤３２による接合強度が低く、テープファスナ５０を持ち上げたときに中間シート４０の一部が破れるおそれがある。一方、質量が約１２．０ｇ／ｍ２を超える場合には、第２接着剤３２の接合強度が向上する一方、積層領域６０の柔軟性が低下し、着用者の肌に触れたときに違和感を与えるおそれがある。
【００３３】
既述のとおり、テープファスナ５０の基材シートの伸度（引張強度）は、中間シート４０のそれよりも高く、具体的には、前者が１８〜２２．０Ｎ／４０ｍｍ、後者が０．８〜１．３Ｎ／４０ｍｍであって、前者は後者の約２０倍の伸度を有する。また、内層シート２２−２４も中間シート４０と同様に、テープファスナ５０の基材シートよりも低い伸度を有するシート材料から形成される。このように、後ウエスト域１４を構成する各シート２１−２４，４０の伸度は基材シートのそれよりも低くて柔軟であるため、身体に対する肌当たりが良好である。
【００３４】
＜シート伸度（引張強度）の測定方法＞
テープファスナ５０の基材シート及び中間シート４０の伸度は、引張試験機（島津製作所製のオートグラフを使用して測定する。具体的には、基材シートと中間シートとを１４ｍｍ×４０ｍｍの大きさに切り出した試験片を切り取り、チャッ引張速度１００ｍｍ／ｍｉｎの設定条件で測定し、破断時の伸度の値を求める。測定は３回行い、その平均値を各シートの伸度とする。
【００３５】
＜変更例＞
図６を参照すると、本変更例においては、積層領域６０における後上方ウエスト弾性体２８Ａのうちの最もクロッチ域１５側に位置する弾性体７０の縦方向Ｙにおける内側及び外側にのみ第２接着剤３２が塗布されている。テープファスナ５０の摘持部５３ａを摘持して上方へ（ウエスト開口１９側へ）引っ張ったときに、積層領域６０のうちの最もクロッチ域１５側の部分にそれを持ち上げようとする力が働き、中間シート４０と第１接着剤３１との接合部分６３が剥離しやすい。したがって、積層領域６０における後上方ウエスト弾性体２８Ａのうちの少なくとも弾性体７０の縦方向Ｙの外側及び内側に第２接着剤３２を塗布することによって、該部分における中間シート４０の破れを防止することができるとともに、第２接着剤３２が積層領域６０全体に塗布されている場合に比して、該領域における柔軟性に優れる。
また、シートの柔軟性と接合部分６３の剥離防止と互いに二律背反の関係にある技術的効果を考慮して、弾性体７０の縦方向Ｙの内外側の少なくともいずれか一方側にのみ第２接着剤３２が塗布されていればよい。
【００３６】
おむつ１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【００３７】
以上に記載した本発明に関する開示は、少なくとも下記事項に整理することができる。
縦方向及び横方向を有し、肌対向面及び非肌対向面と、前後ウエスト域の一方である第１ウエスト域と、それらの他方である第２ウエスト域と、前記第１及び第２ウエスト域間に位置するクロッチ域と、少なくとも前記クロッチ域に位置する吸液性コアとを含む使い捨て着用物品において、前記第１ウエスト域は、前記肌対向面側に位置する内層シートと、前記非肌対向面側に位置する外層シートと、前記内外層シート間に介在された、前記横方向へ延びるウエスト弾性体と、前記ウエスト弾性体と前記外層シートとの間に配置された中間シートと、前記外層シートの外面に取り付けられたテープファスナとを有し、前記内層シートと前記中間シートとは、前記ウエスト弾性体に塗布された第１接着剤を介して接合されており、前記第１ウエスト域の前記テープファスナの固定部の位置する積層領域において、前記内層シートと前記中間シートとは、前記ウエスト弾性体と並行して前記横方向へ延びる第２接着剤を介して接合されており、前記第２接着剤は、前記ウエスト弾性体の前記縦方向の内外側のうち少なくとも一方側に位置し、前記積層領域において、複数条の前記ウエスト弾性体が配置されており、前記第２接着剤は、隣り合う前記ウエスト弾性体間に位置する離間部分に塗布されており、前記ウエスト弾性体と接していないことを特徴とする。
【００３８】
上記段落００３７に開示した本発明は、少なくとも下記の実施の形態を含むことができる。該実施の形態は、分離して又は互いに組み合わせて採択することができる。
（１）前記中間シートは、プラスチックシートから形成された、外部から視認可能な装飾要素を有する。
（２）前記積層領域における前記ウエスト弾性体のうちの最も前記クロッチ域側に位置する弾性体の前記縦方向の内側又は外側のうち少なくとも一方側にのみ前記第２接着剤が塗布されている。
（３）前記テープファスナを構成する基材シートの伸度が、前記内外層シート及び前記中間シートの伸度よりも高い。
（４）前記積層領域における前記ウエスト弾性体間の前記縦方向における離間寸法が、前記第１ウエスト域における前記積層領域以外の部分に配置された前記ウエスト弾性体間の前記縦方向における離間寸法よりも大きい。
（５）前記第２接着剤は、前記ウエスト弾性体の前記縦方向の内側及び外側に位置する。
【符号の説明】
【００３９】
１０  使い捨ておむつ（使い捨て着用物品）
１３  前ウエスト域（第１又は第２ウエスト域）
１４  後ウエスト域（第２又は第１ウエスト域）
１５  クロッチ域
２１，２２  内層シート
２３，２４  外層シート
２７  前ウエスト弾性体
２８  後ウエスト弾性体
３１  第１接着剤
３２  第２接着剤
５０  テープファスナ
６０  積層領域
７０  弾性体
【図１】
0006274977.tif 000002
【図２】
0006274977.tif 000003
【図３】
0006274977.tif 000004
【図４】
0006274977.tif 000005
【図５】
0006274977.tif 000006
【図６】
0006274977.tif 000007